(57)【要約】【課題】  照明灯を消した後に、周囲を明るく照らして安全性を高めてくれることのできる安全灯を提供する。【解決手段】  照明灯Ｌや太陽光などを光源として太陽電池１で発生させた電流を、スーパーキャパシタコンデンサー２に蓄えておく。照明灯Ｌの光の到達位置に光感知センサー（ＣＤＳセンサー）３を設置しておく。照明灯Ｌの照度が所定値まで低下すると、光感知センサー３が感知してスイッチング回路４をオンとし、発光ダイオード５が点灯し周囲を照らす。【選択図】      図１
2007128667.tif 000002
【特許請求の範囲】
【請求項１】
照明灯（Ｌ）や太陽光などを光源として太陽電池（１）で発生させた電流を、スーパーキャパシタコンデンサー（２）に蓄え、光感知センサー（３）によって前記照明灯の照度を感知させ、前記照度が所定値まで低下するとスイッチング回路（４）をオンとし、発光ダイオード（５）を点灯させてなる安全灯装置。
【発明の詳細な説明】
【技術分野】
【０００１】
本発明は、地震や台風などの災害時に発生する停電時において、暗闇状態を一定時間回避し、避難の際にその周囲を明るく照らして安全性を確保することができ、また、非災害時においても、照明灯を消した後の歩行路を照らして安全性を確保し、転倒事故などを防止することのできる安全灯に関するものである。
【背景技術】
【０００２】
地震や台風などの災害が発生すると停電状態になり易く、その場合、そこから安全な場所に避難することは、暗闇の中を通らなければならないので、大きな危険を伴う。
【０００３】
また、非災害時において、夜間、室内灯を消すと周囲は暗闇状態となるので、例えば、寝室までの歩行路を視認することができず、誤って転倒し、怪我をしてしまうこともある。
【発明の開示】
【発明が解決しようとする課題】
【０００４】
こうした点に鑑み、一般の多くの家庭では、懐中電灯などの緊急灯を所定の場所に置いているが、災害緊急時等に、暗闇の中で、そうした緊急灯を探し出すのは容易ではない。
【０００５】
本発明はこうした問題に鑑み創案されたもので、室内灯などの照明灯を消した後に、周囲を明るく照らして安全性を確保するための安全灯を提供することを課題とする。
【課題を解決するための手段】
【０００６】
図１および図２を参照して説明する。請求項１に記載の安全灯装置は、照明灯Ｌや太陽光などを光源として太陽電池１で発生させた電流を、スーパーキャパシタコンデンサー２に蓄え、光感知センサー（ＣＤＳセンサー）３によって前記照明灯Ｌの照度を感知させ、前記照度が所定値まで低下するとスイッチング回路４をオンとし、発光ダイオード５を点灯させてなるものである。
【発明の効果】
【０００７】
本発明に係る安全灯は、照明灯Ｌの照度が所定値まで低下すると、光感知センサー３がそれを感知してスイッチング回路４をオンとし、それによって、スーパーキャパシタコンデンサー２に蓄えておいた電力によって発光ダイオード５が点灯する。従って、地震や台風などの災害時において、停電により照明灯Ｌ（室内灯や外灯）が消えても、当該発光ダイオード５によって周囲を明るく照らすことができる。従って、安全に避難することができる。
【０００８】
なお、スーパーキャパシタコンデンサー２は、大容量のコンデンサーであるので、通常のコンデンサーを使用する場合と比較して、発光ダイオード５をより長時間点灯させることができる。これにより、さらに安全性を高めることができる。
【０００９】
また、非災害時においても、夜間、室内灯などの照明灯Ｌを消した後、この発光ダイオード５が発光して、一定時間、室内を明るく照らすので、消灯後も明るく照らされた歩行路を歩くことができ、安全である。
【００１０】
また、この安全灯は、次のような効果を併せて発揮する。
（イ）照明灯Ｌや太陽光などを光源として太陽電池１で発生させた電流を使用するので、バッテリー等の電源装置が不要であり、よって、ランニングコストが発生しない。
（ロ）繰り返して何度も使用することができるため、例えば、乾電池のような消耗品が不要である。
（ハ）点灯および消灯を自動的に行うため、維持管理がきわめて容易である。
（ニ）構成が簡単であるため、取付けおよび取外しが容易であり、大規模な取付け工事や取外し工事を必要としない。
【発明を実施するための最良の形態】
【００１１】
本発明に係る安全灯装置の実施形態を、図１および図２に示す。この安全灯装置は、室内の照明灯Ｌに近い箇所に設けられ、太陽電池１、スーパーキャパシタコンデンサー２、光感知センサー（ＣＤＳセンサー）３、スイッチング回路４、および複数の発光ダイオード５を具備する。
【００１２】
そして、照明灯Ｌや太陽光などを光源として太陽電池１で発生させた電流を、スーパーキャパシタコンデンサー２に蓄え、光感知センサー３によって前記照明灯Ｌの照度を感知させ、照度が所定値まで低下するとスイッチング回路４をオンとし、発光ダイオード５を点灯させる。
【００１３】
なお、本実施形態では、基板６の上に太陽電池１、スーパーキャパシタコンデンサー２、およびスイッチング回路４を取付け、その下に、スイッチング回路４と複数の発光ダイオード５を取付けている。また、太陽電池１の採光部１ａと光感知センサー３の受光部３ａおよび発光ダイオード５の発光部５ａを除いてカバー７で覆い、保護している。なお、太陽電池１、スーパーキャパシタコンデンサー２、および発光ダイオード５の数は限定されない。
【００１４】
本実施形態に係る安全灯は、照明灯Ｌの照度が所定値まで低下すると、光感知センサー３がそれを感知してスイッチング回路４をオンとし、それによって、スーパーキャパシタコンデンサー２に蓄えておいた電力によって発光ダイオード５が点灯して周囲を明るく照らす。従って、地震や台風などの災害時において停電により照明灯Ｌが消えても、発光ダイオード５の光によって安全に避難することができる。
【００１５】
なお、スーパーキャパシタコンデンサー２は、大量の電気を蓄えることができるので、発光ダイオード５を長時間点灯させることができる。従って、安全性をさらに高めることができる。スーパーキャパシタコンデンサー２に代えて、通常のコンデンサーを使用することも可能であるが、電気貯蔵量が多いことからスーパーキャパシタコンデンサー２を使用している。
【００１６】
また、非災害時においても、夜間、照明灯Ｌを消した後、この発光ダイオード５が発光することによって一定時間、室内を明るく照らすので、消灯後も明るく照らされた歩行路を歩くことができ、安全である。
【００１７】
また、照明灯Ｌや太陽光などを光源として太陽電池１で発生させた電流を使用するので、バッテリー等の電源装置が不要であり、よって、ランニングコストが発生しない。
【００１８】
また、繰り返して何度も長期間にわたって使用することができるので、乾電池のような消耗品を必要とせず、経済的である。
【００１９】
また、点灯および消灯を自動的に行うため、維持管理がきわめて容易である。
【００２０】
さらに、構成が簡単であるため、取付けおよび取外しが容易であり、大規模な取付け工事や取外し工事を必要としない。よって、経済的である。
【図面の簡単な説明】
【００２１】
【図１】本発明に係る安全灯装置の実施形態を示す正面図である。
【図２】図１に示す安全灯装置の回路図である。
【符号の説明】
【００２２】
１      太陽電池
１ａ    採光部
２      スーパーキャパシタコンデンサー
３      光感知センサー（ＣＤＳセンサー）
３ａ    受光部
４      スイッチング回路
５      発光ダイオード
５ａ    発光部
６      基板
７      カバー
Ｌ      照明灯
【図１】
2007128667.tif 000003
【図２】
2007128667.tif 000004